(57)【要約】【課題】  作業性の向上を図るとともに、ショートや傷付き防止を図ることが可能なシールド電線用ゴム栓を提供する。【解決手段】  ゴム栓１は、シールド電線２の端末に加工を施した後に、このシールド電線２をゴム栓本体３の内部へ挿通するような構造となっており、加工後のシールド電線２をゴム栓本体３の内部に挿通すると、仮に編組５の端部となる切り残し部分があったとしても、ゴム栓本体３に形成した、環状凸部１０の第一挿通空間７側の面１２に編組５の切り残し部分が突き当たり又は突き刺さり、外部への飛び出しが避けられるようになっている。【選択図】    図１
2006340500.tif 000002
【特許請求の範囲】
【請求項１】
シールド電線を挿通する略筒状のゴム栓本体の内部に、前記シールド電線の加工部に存する編組の端部が突き当たる又は突き刺さる面を設ける
ことを特徴とするシールド電線用ゴム栓。
【請求項２】
請求項１に記載のシールド電線用ゴム栓において、
前記ゴム栓本体の内部に前記面を有する環状凸部を形成する
ことを特徴とするシールド電線用ゴム栓。
【発明の詳細な説明】
【技術分野】
【０００１】
本発明は、シールド電線用ゴム栓に関する。
【背景技術】
【０００２】
シールド電線を用いる構造体の例として、従来のカメラモジュールについて、図７及び図８を参照しながら説明する。カメラモジュール５１は、カメラモジュール本体５２と、モジュール収納ケース５３と、シールド電線アッセンブリ５４とを備えて構成されている。カメラモジュール５１は、例えば車載用のものであるものとする（例えば、下記特許文献１参照）。
【０００３】
カメラモジュール本体５２は、レンズ５５を有するＣＣＤカメラ５６と、このＣＣＤカメラ５６を実装するための基板５７とを備えて構成されている。ＣＣＤカメラ５６は、基板５７の一方の面側にレンズ５５が突出するよう、基板５７の他方の面側に本体が固定されている。基板５７の上記他方の面には、所望のパターンの回路が形成されており、ＣＣＤカメラ５６の本体が電気的に接続されている。上記回路には、外部への信号送信や電源供給等がなされるコネクタ５８が設けられている。カメラモジュール５１は、ネジ止めによりモジュール収納ケース５３の上面開口部分に固定されるようになっている。
【０００４】
モジュール収納ケース５３は、ＣＣＤカメラ５６の本体等を収納する内部空間を有している。このようなモジュール収納ケース５３の一側壁には、内外を連通する貫通孔が形成されている。図中には貫通孔が図示されてないが、この貫通孔を介してシールド電線アッセンブリ５４が取り付けられている。
【０００５】
シールド電線アッセンブリ５４は、図７及び図８に示すように、シールド電線５９と、コネクタ６０と、モジュール取付部６１とを備えて構成されている。シールド電線５９は、複数の絶縁線心６２と、この複数の絶縁線心６２の外側に設けられるシールド用の編組６３と、さらに外側のシース６４とを備えている。シールド電線５９には、図示のような端末処理が施されている。
【０００６】
上記端末処理としては、モジュール取付部６１の先が複数の絶縁線心６２を引き出した部分となり、引き出した複数の絶縁線心６２の端末には、コネクタ６０が設けられている。コネクタ６０は、各絶縁線心６２の端末に接続した端子６５をコネクタハウジング６６に差し込んで固定することにより形成されている。
【０００７】
モジュール取付部６１は、取付部材６７と、Ｏリング６８とを備えて構成されている。取付部材６７の内部においては、シールド電線５９の加工部、すなわちシース６４を除去した部分が収納されており、この部分がポッティング６９によって封止されている。
【０００８】
上記構成において、シールド電線アッセンブリ５４のモジュール収納ケース５３に対する取り付けは、モジュール取付部６１の取付部材６７に形成したネジ部７０をモジュール収納ケース５３の上記貫通孔にねじ込むことによりなされるようになっている。Ｏリング６８は、モジュール収納ケース５３への取り付けの際に、取付部材６７とモジュール収納ケース５３との間で圧縮されて防水性能を発揮するようになっている。シールド電線アッセンブリ５４のコネクタ６０は、カメラモジュール本体５２のコネクタ５８に接続されるようになっている。
【０００９】
上記防水性能に関しては、ポッティング６９を施していることから、シールド電線５９を伝っての水分の浸入がここでは抑えられている。また、Ｏリング６８によっても水分の浸入が抑えられている。尚、ポッティング６９により、シース６４を除去した部分から飛び出る、編組６３の切り残し部分（編組は電線軸に対して斜め方向に編んであるため、切断するとこの端部が飛び出し易い傾向にある）がモジュール収納ケース５３内に露出しないようになっている。この結果、カメラモジュール本体５２とのショートが防止されるようになっている。
【００１０】
ところで、シールド電線アッセンブリ５４は、モジュール取付部６１の部分に係る材料費、加工費、及び組み立てに係る工数等が結構掛かっており、このためコストが嵩んでしまうという問題点を有している。編組６３の切り残し部分を飛び出させないようにするため、シールド電線５９の加工部を覆うのであれば、図９に示すような公知の熱収縮チューブ７１を単に用いることが代替案として考えられる。尚、図９中の引用符号７２はシールド電線、７３は編組の切り残し部分、７４は絶縁線心７５の端末に存するコネクタを示している。
【００１１】
しかしながら、熱収縮チューブ７１による代替案では、上記Ｏリング６８のようなシール部材を取り付けすることが困難な構造であることから、モジュール収納ケースとの間の防水性能を十分に確保することができないという問題点を有している。また、熱収縮チューブ７１による代替案では、このチューブの収縮後の剛性によってシールド電線７２が硬くなり、結果、配索に係る作業性が低下してしまうという問題点を有している。
【００１２】
熱収縮チューブ７１以外の代替案であって、シール性の確保が容易かつ安価な代替案としては、図１０及び図１１に示すような構造が一例として挙げられる。以下、この構造について簡単に説明する。
【００１３】
図１０及び図１１において、上記構造は、上ケース７６及び下ケース７７を有するモジュール収納ケース７８と、このモジュール収納ケース７８の下ケース７７に形成した取付凹部７９に取り付けられるゴム栓８０と、ゴム栓８０に挿通される電線８１とを備えて構成されている（例えば、下記特許文献２参照）。ゴム栓８０は、電線８１の外周面に密着するチューブ８２と、このチューブ８２に連続する蛇腹部８３と、蛇腹部８３に連続して取付凹部７９に取り付けられる厚肉周壁部８４とを有している。
【００１４】
ここで上記構造の例を参考にして、カメラモジュールにゴム栓を有するシールド電線アッセンブリを採用する場合についてを考えると、例えば図１２に示すような構造が考えられる。図１２において、図中の引用符号８５はカメラモジュール本体、８６はモジュール収納ケース、８７はゴム栓８８を有するシールド電線アッセンブリを示している。
【００１５】
カメラモジュール本体８５は、モジュール収納ケース８６に収納されている。このモジュール収納ケース８６に収納されたカメラモジュール本体８５のコネクタ８９には、シールド電線アッセンブリ８７のコネクタ９０が接続されている。シールド電線アッセンブリ８７は、シールド電線９１の端末に加工が施されており、シース９２及び編組９３の除去部分からは複数の絶縁線心９４が引き出されている。引き出された絶縁線心９４の端末には、上記コネクタ９０が設けられている。ゴム栓８８は、シールド電線９１の加工部に設けられており、モジュール収納ケース８６の取付部９５に対して取り付けられるようになっている。
【特許文献１】特開２００２−２７０３１３号公報
【特許文献２】実公平６−１１５６４号公報
【発明の開示】
【発明が解決しようとする課題】
【００１６】
図１２に示したシールド電線アッセンブリ８７は、ゴム栓８８を有するものであることから、次のような問題点を有している。すなわち、予めゴム栓８８にシールド電線９１を挿通した状態でこのシールド電線９１に対し端末加工を施す場合には、加工の邪魔にならない位置へゴム栓８８を移動させてから加工を行い、そして、加工後にゴム栓８８を所定の位置に戻すという作業が必要になってくる。従って、作業性が悪いという問題点を有している。
【００１７】
また、ゴム栓８８を移動させるために、シールド電線９１には余長部９６が必要になってくる。従って、コスト面や収納スペースに影響を来すという問題点を有している。さらに、ゴム栓８８の所定位置への戻しが不十分にあると、図示のように編組９３の切り残し部分がカメラモジュール本体８５側に飛び出してくる。従って、ショートや絶縁線心９４の傷付きが懸念されるという問題点を有している。
【００１８】
尚、編組９３の切り残し部分の飛び出しを抑えるために、ゴム栓８８で切り残し部分を覆うような対策をすると、図示の構造の場合では、シールド電線９１に対する密着部分が少なくなって、シール性や保持力に影響を来す恐れがあるという問題点を有している。また、余長部９６に対する収納の仕方によっては、曲げた余長部９６の復元力によりシールド電線９１の加工部が押し出されて、編組９３の切り残し部分が飛び出してしまうという問題点を有している。
【００１９】
本発明は、上述した事情に鑑みてなされたもので、作業性の向上を図るとともに、ショートや傷付き防止を図ることが可能なシールド電線用ゴム栓を提供することを課題とする。
【課題を解決するための手段】
【００２０】
上記課題を解決するためになされた請求項１記載の本発明のシールド電線用ゴム栓は、シールド電線を挿通する略筒状のゴム栓本体の内部に、前記シールド電線の加工部に存する編組の端部が突き当たる又は突き刺さる面を設けることを特徴としている。
【００２１】
このような特徴を有する本発明によれば、シールド電線に加工を施した後に、このシールド電線を挿通することが好適な構造となる。また、加工後のシールド電線をゴム栓本体に挿通すると、仮に編組の切り残し部分があったとしても、ゴム栓本体に形成した面に編組の切り残し部分が突き当たり又は突き刺さり、外部への飛び出しが避けられる。
【００２２】
請求項２記載の本発明のシールド電線用ゴム栓は、請求項１に記載のシールド電線用ゴム栓において、前記ゴム栓本体の内部に前記面を有する環状凸部を形成することを特徴としている。
【００２３】
このような特徴を有する本発明によれば、編組の切り残し部分が環状凸部に突き当たるまで、又は突き刺さるまで、或いはシースの端面が環状凸部に当接するまでシールド電線を挿通すると、これによって位置決めが完了する。本発明によれば、環状凸部の内径を絶縁線心の束径に対応させれば、加工部分における絶縁線心の保持も可能となる。
【発明の効果】
【００２４】
請求項１に記載された本発明によれば、従来よりも作業性の向上を図ることができるという効果を奏する。また、ショートや傷付き防止を図ることができるという効果を奏する。請求項２に記載された本発明によれば、より良い形態のシールド電線用ゴム栓を提供することができるという効果を奏する。
【発明を実施するための最良の形態】
【００２５】
以下、図面を参照しながら説明する。図１は本発明のシールド電線用ゴム栓の一実施の形態を示す図であり、（ａ）はシールド電線を挿通した状態のゴム栓の側面図、（ｂ）は（ａ）の断面図である。また、図２〜図５はゴム栓の平面図、正面図、側面図、断面図であり、図６はゴム栓の取付対象例を示す図である。
【００２６】
図１において、引用符号１は本発明のシールド電線用ゴム栓（以下、ゴム栓と略記する）を示している。ゴム栓１は、材質が例えばＥＰＤＭ（エチレン−プロピレンゴム）、シリコン等からなるものであり、所望の弾力性を有している。ゴム栓１は、公知のシールド電線２を挿通する略筒状のゴム栓本体３を有している。ゴム栓本体３に挿通されるシールド電線２は、予めシース４及び編組５が所定の長さで除去されている。すなわち、端末加工の処理が施されている。シールド電線２の加工部からは複数の絶縁線心６が引き出されている。
【００２７】
図１ないし図５において、ゴム栓本体３の内部には、第一挿通空間７と、この第一挿通空間７に連続する第二挿通空間８とが形成されている。第一挿通空間７及び第二挿通空間８は、それぞれ略円形の内面となるように形成されている。第一挿通空間７は、シールド電線２のシース４の直径に合わせて形成されている。また、第二挿通空間８は、シールド電線２の絶縁線心６による束の直径に合わせて形成されている。第一挿通空間７及び第二挿通空間８は、ゴム栓本体３を貫通するように配置形成されている。
【００２８】
このような第一挿通空間７には、シース４に密着する環状の内シール部９が複数形成されている。内シール部９は、断面視略山状となる形状に形成されている。内シール部９は、本形態において、第一挿通空間７の開口側と奥側とに二つずつ所定の間隔をあけて配置形成されている。内シール部９は、シース４の直径よりも小さな直径を有するように形成されている。内シール部９は、ゴム栓本体３の内部に挿通されたシールド電線２のシース４に押圧されて、このシース４に密着するようになっている。内シール部９は、所定の防水性能・防塵性能を発揮するようになっている。
【００２９】
ゴム栓本体３の内部には、環状凸部１０が形成されている。この環状凸部１０は、断面視の形状が矩形であって、内面全周にわたり均等な高さで突出するように形成されている。環状凸部１０の突出先端側の面１１により囲まれる空間は、上記第二挿通空間８となっている。ゴム栓本体３の内部は、環状凸部１０の存在により、段付きの形状となるように形成されている。尚、特に限定するものではないが、環状凸部１０の突出先端側の面１１で絶縁線心６の束を保持するようにしてもよいものとする。
【００３０】
環状凸部１０の第一挿通空間７側の面１２は、シールド電線２の加工部に存する編組５の端部（切り残し部分）が突き当たる又は突き刺さる面として形成されている。環状凸部１０の第一挿通空間７側の面１２は、特許請求の範囲に記載した面に相当する部分であって、編組５の位置に合わせて形成されている。環状凸部１０の第一挿通空間７側の面１２は、編組５の端部がシース４の端面から出てない場合に、又は僅かに出ている場合に、シース４の端面に対する当接面（ストッパ）としても機能するように形成されている。
【００３１】
ゴム栓本体３の外部は、特に限定するものではないが、例えば図６に示す車両搭載用のカメラモジュール１３のモジュール収納ケース１４に形成した取付凹部１５の形状に合わせて形成されている。この場合について図１ないし図６を参照しながら具体的に説明すると、ゴム栓本体３の外部には、取付凹部１５の溝１６に差し込まれる外シール部１７が一体に形成されている。取付凹部１５は、モジュール収納ケース１４を構成する下ケース１８に形成されている。外シール部１７は、溝１６に差し込まれて変形し、所定の防水性能・防塵性能を発揮するような形状に形成されている。外シール部１７は、本形態において、Ｏリングのような略円形の断面形状を有するように形成されている。
【００３２】
外シール部１７の前側には、取付凹部１５のＵ字状スリット１９に差し込まれるスリット差し込み部２０と、このスリット差し込み部２０に連続するフランジ部２１とが形成されている。フランジ部２１は、引用符号２２で示される面がゴム栓１の前面（前面２２）となるように形成されている。フランジ部２１は、この上部にモジュール収納ケース１４を構成する上ケース２３に対しての係合部２４を有している。外シール部１７の後側には、取付凹部１５のＵ字状スリット２５に差し込まれるスリット差し込み部２６と、シールド電線２に対する電線導入部２７とが形成されている。
【００３３】
以上、本発明のゴム栓１によれば、シールド電線２の端末に加工を施した後に、このシールド電線２をゴム栓本体３の内部へ挿通するような構造となっており、加工後のシールド電線２をゴム栓本体３の内部に挿通すると、仮に編組５の端部となる切り残し部分があったとしても、ゴム栓１のゴム栓本体３に形成した、環状凸部１０の第一挿通空間７側の面１２に編組５の切り残し部分が突き当たり又は突き刺さり、外部への飛び出しが避けられるようになっている。従って、本発明のゴム栓１は、従来よりも作業性の向上を図ることができるとともに、ショートや傷付き防止を図ることができるという効果を奏する。
【００３４】
また、本発明のゴム栓１によれば、編組５の切り残し部分が環状凸部１０の第一挿通空間７側の面１２に突き当たるまで、又は突き刺さるまで、或いはシース４の端面が環状凸部１０の第一挿通空間７側の面１２に当接するまでシールド電線２をゴム栓本体３の内部へ挿通することにより位置決めができるようになっている。従って、本発明のゴム栓１は、作業性の向上を図ることができるという効果を奏する。
【００３５】
その他、本発明は本発明の主旨を変えない範囲で種々変更実施可能なことは勿論である。
【産業上の利用可能性】
【００３６】
本発明の活用例として、上述のカメラモジュールの他に防塵又は防水が必要なボックスへのシールド電線の配索等にも適用することが可能であるものとする。
【図面の簡単な説明】
【００３７】
【図１】本発明のシールド電線用ゴム栓の一実施の形態を示す図であり、（ａ）はシールド電線を挿通した状態のゴム栓の側面図、（ｂ）は（ａ）の断面図である。
【図２】ゴム栓の平面図である。
【図３】ゴム栓の正面図である。
【図４】ゴム栓の側面図である。
【図５】ゴム栓の断面図である。
【図６】本発明のシールド電線用ゴム栓の取付対象の一例であり、（ａ）はカメラモジュールの外観斜視図、（ｂ）は下ケースの斜視図である。
【図７】従来のカメラモジュールのシールド電線取付側から見た場合の分解斜視図である。
【図８】図７中のシールド電線に対する説明図である。
【図９】従来のシールド電線の端末処理に係る他の例を示す説明図である。
【図１０】従来のシールド電線の端末処理に係る更に他の例を示す説明図である。
【図１１】図１０の断面図である。
【図１２】従来のシールド電線の端末処理に係る更に他の例を示す説明図である。
【符号の説明】
【００３８】
１  シールド電線用ゴム栓（ゴム栓）
２  シールド電線
３  ゴム栓本体
４  シース
５  編組
６  絶縁線心
７  第一挿通空間
８  第二挿通空間
９  内シール部
１０  環状凸部
１１  突出先端側の面
１２  第一挿通空間側の面（面）
１３  カメラモジュール
１４  モジュール収納ケース
１５  取付凹部
１６  溝
１７  外シール部
１８  下ケース
１９  Ｕ字状スリット
２０  スリット差し込み部
２１  フランジ部
２２  前面
２３  上ケース
２４  係合部
２５  Ｕ字状スリット
２６  スリット差し込み部
２７  電線導入部
【図１】
2006340500.tif 000003
【図２】
2006340500.tif 000004
【図３】
2006340500.tif 000005
【図４】
2006340500.tif 000006
【図５】
2006340500.tif 000007
【図６】
2006340500.tif 000008
【図７】
2006340500.tif 000009
【図８】
2006340500.tif 000010
【図９】
2006340500.tif 000011
【図１０】
2006340500.tif 000012
【図１１】
2006340500.tif 000013
【図１２】
2006340500.tif 000014